(57)【要約】【課題】電池の熱安定性を向上させる。【解決手段】式（Ｉ）：Ｒ１ＣＨ２−Ｏ−Ｒ２　　　　（Ｉ）（式（Ｉ）中、Ｒ１およびＲ２は、同一又は異なって、フッ素原子で置換されていてもよいアルキル基またはフッ素原子で置換されていてもよいアルコキシアルキル基を示す。ただし、Ｒ１およびＲ２の一方又は両方はフッ素原子で置換されたアルキル基またはフッ素原子で置換されたアルコキシアルキル基を示す。）で表される少なくとも１種の化合物を含む電極表面被膜形成剤。【選択図】なし【特許請求の範囲】
【請求項１】
式（Ｉ）：
Ｒ１ＣＨ２−Ｏ−Ｒ２　　　　（Ｉ）
（式（Ｉ）中、Ｒ１およびＲ２は、同一又は異なって、アルコキシ基で置換されていてもよいアルキル基または、アルコキシ基で置換されていてもよいフルオロアルキル基を示す。ただし、Ｒ１およびＲ２の一方又は両方はアルコキシで置換されていてもよいフルオロアルキル基を示す。）で表される少なくとも１種の化合物を含む電極表面被膜形成剤。
【請求項２】
式（ＩＩ）：
Ｒ３−（ＣＸ１Ｘ２−ＣＸ３Ｘ４）ｎＣＨ２ＯＲ４　　　　　（ＩＩ）
（式（ＩＩ）中、Ｒ３はＨ、またはＦを表し、Ｒ４はアルコキシ基で置換されていてもよいアルキル基または、アルコキシ基で置換されていてもよいフルオロアルキル基を示す。Ｘ１、Ｘ２、Ｘ３およびＸ４は、水素又はフッ素を示す。ただし、Ｘ１、Ｘ２、Ｘ３およびＸ４が全て水素になることはない。ｎは１、２、３または４を示す。）で表される少なくとも１種の化合物を含む請求項１に記載の電極表面被膜形成剤。
【請求項３】
式（ＩＩＩ）：
Ｒ５−（ＣＸ１Ｘ２−ＣＸ３Ｘ４）ｎ−ＣＨ２Ｏ−ＣＸ５Ｘ６−ＣＸ７Ｘ８−Ｒ６　　　　　（ＩＩＩ）
（式（ＩＩＩ）中、Ｒ５はＨまたはＦを表し、Ｒ６はＨまたはＣＦ３を表す。Ｘ１、Ｘ２、Ｘ３、Ｘ４及びｎは前記に同じ。Ｘ５、Ｘ６、Ｘ７およびＸ８は、水素又はフッ素を示す。ただし、Ｘ５、Ｘ６、Ｘ７およびＸ８が全て水素になることはない。少なくとも１つがフッ素原子を示し、その他はＨを示す。）で表される少なくとも１種の化合物を含む請求項１に記載の電極表面被膜形成剤。
【請求項４】
下記６種の化合物：
ＨＣＦ２ＣＦ２ＣＨ２ＯＣＦ２ＣＦ２Ｈ、ＨＣＦ２ＣＦ２ＣＨ２ＯＣＦ２ＣＦＨＣＦ３、Ｈ（ＣＦ２ＣＦ２）２ＣＨ２ＯＣＦ２ＣＦ２Ｈ、
Ｈ（ＣＦ２ＣＦ２）２ＣＨ２ＯＣＦ２ＣＦＨＣＦ３、ＣＦ３ＣＦ２ＣＨ２ＯＣＦ２ＣＦＨＣＦ３、ＣＦ３ＣＦ２ＣＨ２ＯＣＦ２ＣＦ２Ｈ
からなる群から選ばれる少なくとも１種の化合物を含む請求項１に記載の電極表面被膜形成剤。
【請求項５】
下記４種の化合物：ＣＦ３ＣＦＨＣＦ２ＣＨ２ＯＣＦ２Ｈ、（ＣＦ３）２ＣＨＣＦ２ＯＣＨ３、ＨＣＦ２ＣＦ２ＣＨ２ＯＣＦ２Ｈ、ＣＦ３ＣＦＨＣＦ２ＯＣＨ２ＣＨ３からなる群から選ばれる少なくとも１種の化合物を含む請求項１に記載の電極表面被膜形成剤。
【請求項６】
下記４種の化合物：ＨＣＦ２ＣＦ２ＣＨ２ＯＣＨ２ＣＨ２ＯＣＨ３、Ｈ（ＣＦ２ＣＦ２）２ＣＨ２ＯＣＨ２ＣＨ２ＯＣＨ３、Ｈ（ＣＦ２ＣＦ２）３ＣＨ２ＯＣＨ２ＣＨ２ＯＣＨ３、ＣＦ３ＣＦ２ＣＨ２ＯＣＨ２ＣＨ２ＯＣＨ３からなる群から選ばれる少なくとも１種の化合物を含む請求項１に記載の電極表面被膜形成剤。
【請求項７】
電池作成時および／または電池使用時に、電極材料表面に保護膜として作用することを特徴とする請求項１〜６のいずれかに記載の電極表面被膜形成剤。
【請求項８】
電極がリチウム金属、リチウムインターカレート化合物またはリチウム合金からなる負極である請求項７記載の電極表面被膜形成剤。
【請求項９】
請求項１〜６のいずれかに記載の化合物の少なくとも１種を含む電池電解液。
【請求項１０】
請求項９記載の電解液を用いることを特徴とする電池。
【請求項１１】
負極がリチウム金属、リチウムインターカレート化合物またはリチウム合金からなる請求項１０記載の電池。
【発明の詳細な説明】
【０００１】
【発明の属する技術分野】
フッ素含有有機化合物を用いた電極表面被膜形成剤に関する。本発明の電極表面被膜形成剤を含む非水電解液電池、例えばリチウム二次電池は、電気自動車、携帯電話、携帯パソコンなどの移動体通信用電源、電気自動車、深夜電力の貯蔵、太陽電池などと組み合わせて用いられる電力貯蔵用電源として用いることができる。
【０００２】
【従来の技術及びその課題】
負極にリチウム金属やその合金あるいはリチウムイオンを吸蔵・放出できる化合物を備えたいわゆるリチウムイオン電池はそのエネルギー密度の高さから需要が大幅に拡大している。
【０００３】
一方、リチウムイオン電池は、内部・外部ショート、外部発熱などがトリガーとなり発熱し、電池の発火、発煙などが起こることがあり、リチウムイオン電池安全性の向上のために高温での電解液の安定性の向上が求められている。
【０００４】
第６７回電気化学会（２０００年４月４日〜６日、予稿集２４頁、２Ｂ２１）および第４１回電池討論会（２０００年１１月２０日〜２２日、予稿集２９６頁、２Ｃ１０）において、ジフルオロ酢酸メチルエステルがリチウム電池の熱安定性を高めることが報告された。また、本発明者は、特開２００２−１２４２６３号において、ジメチルジフルオロマロネートがリチウムイオン電池の熱安定性の向上に寄与し得ることを報告した。それによると、通常、電池に用いられる電解液がリチウム金属の融点（１８０℃）かそれ以下で発熱を開始するのに対し、ジフルオロ酢酸メチルおよびジメチルジフルオロマロネートはリチウム金属共存下にそれぞれ２５０℃、２８０℃まで発熱が起こらないことが示された。これらの化合物においては、フッ素導入によりリチウム金属との反応性が増すことが知られているため、この傾向はリチウム金属表面に生じるジフルオロ酢酸メチルおよびジメチルジフルオロマロネートによる被膜の影響である可能性が示唆されている。
【０００５】
しかしながら、ジフルオロ酢酸メチルおよびジメチルジフルオロマロネートは誘電率が低く、高い電池性能を得るためには一般的に電解液として用いられている誘電率の高いエチレンカーボネート（ＥＣ）、γ−ブチロラクトン（ＧＢＬ）、プロピレンカーボネート（ＰＣ）および炭酸ジメチル（ＤＭＣ）などといっしょに用いる必要がある。しかし、電解液中のジメチルジフルオロマロネートの含有量が低下すると、発熱を抑制する効果が著しく減少するという問題点が発生した。これはリチウム金属とジメチルジフルオロマロネートによって形成した保護膜がＥＣ、ＧＢＬ、ＰＣおよびＤＭＣなどの溶媒によって溶かされ、保護膜の一部または大部分がはがれたためであると考えられる。
【０００６】
そこで、実用化されている電池に用いられているような誘電率の高い有機溶媒系の非水電解液の共存下でも電極表面上で強固に保護膜として作用し、電池の熱安定性を高める電極表面被膜形成剤が求められている。
【０００７】
そのような観点で、本発明者は電極表面被膜形成剤として−（ＣＦ２ＣＯ２Ｒ）基を複数有する含フッ素エステル化合物（特願２００１−１２０８８１）、含フッ素ニトリル化合物（特願２００１−１２０８８９）、含フッ素炭酸エステル（特願２００１−１９７１８３）、含フッ素アミド化合物（特願２００１−２１３９７２）を提案している。
【０００８】
本発明は、電池構成成分として、熱安定性を高める電極表面被膜形成剤を提供することを目的とする。また、本発明は、熱安定性の向上した電池の製造方法をも提供することを目的とする。
【０００９】
また、本発明の電極表面被膜形成剤は、これまでのものに比べ低コストで同程度の性能が得られるため、経済効果も期待できる。
【００１０】
【課題を解決するための手段】
本発明者らは、実用化されている電池に用いられているような誘電率の高い有機溶媒系の非水電解液の共存下でも高い電解液の熱安定性を有する電池を得るべく検討を行った結果、Ｒ１−ＣＨ２Ｏ−Ｒ２（Ｒ１およびＲ２は、同一又は異なって、アルコキシ基で置換されていてもよいアルキル基または、アルコキシ基で置換されていてもよいフルオロアルキル基を示す。ただし、Ｒ１およびＲ２の一方又は両方はアルコキシで置換されていてもよいフルオロアルキル基を示す。）
の構造を有する含フッ素エーテル化合物が、電解液と負極、特にリチウムなどの反応を抑制し、電池の熱安定性の向上に寄与し得ることを見出した。
【００１１】
すなわち、本発明は、下記の項１〜項１１に関する。
項１．　式（Ｉ）：
Ｒ１ＣＨ２−Ｏ−Ｒ２　　　　（Ｉ）
（式（Ｉ）中、Ｒ１およびＲ２は、同一又は異なって、アルコキシ基で置換されていてもよいアルキル基または、アルコキシ基で置換されていてもよいフルオロアルキル基を示す。ただし、Ｒ１およびＲ２の一方又は両方はアルコキシで置換されていてもよいフルオロアルキル基を示す。）で表される少なくとも１種の化合物を含む電極表面被膜形成剤。
項２．　式（ＩＩ）：
Ｒ３−（ＣＸ１Ｘ２−ＣＸ３Ｘ４）ｎＣＨ２ＯＲ４　　　　　（ＩＩ）
（式（ＩＩ）中、Ｒ３はＨ、またはＦを表し、Ｒ４はアルコキシ基で置換されていてもよいアルキル基または、アルコキシ基で置換されていてもよいフルオロアルキル基を示す。Ｘ１、Ｘ２、Ｘ３およびＸ４は、水素又はフッ素を示す。ただし、Ｘ１、Ｘ２、Ｘ３およびＸ４が全て水素になることはない。ｎは１、２、３または４を示す。）で表される少なくとも１種の化合物を含む請求項１に記載の電極表面被膜形成剤。
項３．　式（ＩＩＩ）：
Ｒ５−（ＣＸ１Ｘ２−ＣＸ３Ｘ４）ｎ−ＣＨ２Ｏ−ＣＸ５Ｘ６−ＣＸ７Ｘ８−Ｒ６　　　　　（ＩＩＩ）
（式（ＩＩＩ）中、Ｒ５はＨまたはＦを表し、Ｒ６はＨまたはＣＦ３を表す。Ｘ１、Ｘ２、Ｘ３、Ｘ４及びｎは前記に同じ。Ｘ５、Ｘ６、Ｘ７およびＸ８は、水素又はフッ素を示す。ただし、Ｘ５、Ｘ６、Ｘ７およびＸ８が全て水素になることはない。少なくとも１つがフッ素原子を示し、その他はＨを示す。）で表される少なくとも１種の化合物を含む項１に記載の電極表面被膜形成剤。
項４．　下記６種の化合物：
ＨＣＦ２ＣＦ２ＣＨ２ＯＣＦ２ＣＦ２Ｈ、ＨＣＦ２ＣＦ２ＣＨ２ＯＣＦ２ＣＦＨＣＦ３、Ｈ（ＣＦ２ＣＦ２）２ＣＨ２ＯＣＦ２ＣＦ２Ｈ、
Ｈ（ＣＦ２ＣＦ２）２ＣＨ２ＯＣＦ２ＣＦＨＣＦ３、ＣＦ３ＣＦ２ＣＨ２ＯＣＦ２ＣＦＨＣＦ３、ＣＦ３ＣＦ２ＣＨ２ＯＣＦ２ＣＦ２Ｈ
からなる群から選ばれる少なくとも１種の化合物を含む項１に記載の電極表面被膜形成剤。
項５．　下記４種の化合物：ＣＦ３ＣＦＨＣＦ２ＣＨ２ＯＣＦ２Ｈ、（ＣＦ３）２ＣＨＣＦ２ＯＣＨ３、ＨＣＦ２ＣＦ２ＣＨ２ＯＣＦ２Ｈ、ＣＦ３ＣＦＨＣＦ２ＯＣＨ２ＣＨ３からなる群から選ばれる少なくとも１種の化合物を含む請求項１に記載の電極表面被膜形成剤。
項６．　下記４種の化合物：ＨＣＦ２ＣＦ２ＣＨ２ＯＣＨ２ＣＨ２ＯＣＨ３、Ｈ（ＣＦ２ＣＦ２）２ＣＨ２ＯＣＨ２ＣＨ２ＯＣＨ３、Ｈ（ＣＦ２ＣＦ２）３ＣＨ２ＯＣＨ２ＣＨ２ＯＣＨ３、ＣＦ３ＣＦ２ＣＨ２ＯＣＨ２ＣＨ２ＯＣＨ３からなる群から選ばれる少なくとも１種の化合物を含む請求項１に記載の電極表面被膜形成剤。
項７．　電池作成時および／または電池使用時に、電極材料表面に保護膜として作用することを特徴とする項１〜６のいずれかに記載の電極表面被膜形成剤。
項８．　電極がリチウム金属、リチウムインターカレート化合物またはリチウム合金からなる負極である項７記載の電極表面被膜形成剤。
項９．　項１〜６のいずれかに記載の化合物の少なくとも１種を含む電池電解液。
項１０．　項９記載の電解液を用いることを特徴とする電池。
項１１．　負極がリチウム金属、リチウムインターカレート化合物またはリチウム合金からなる項１０記載の電池。
【００１２】
【発明の実施の形態】
本発明の電極表面被膜形成剤は、リチウム一次電池およびリチウム二次電池等の一次電池および二次電池のいずれにも用いることができる。
【００１３】
本発明の一般式（Ｉ）において、Ｒ１およびＲ２は、同一又は異なって、アルコキシ基で置換されていてもよいアルキル基または、アルコキシ基で置換されていてもよいフルオロアルキル基を示す。ただし、Ｒ１およびＲ２の一方又は両方はアルコキシで置換されていてもよいフルオロアルキル基を示す。
【００１４】
アルキル基としては、メチル、エチル、ｎ−プロピル、イソプロピル、ｎ−ブチル、イソブチル、ｓｅｃ−ブチル、ｔｅｒｔ−ブチル、ペンチル、ヘキシル等の炭素数１〜６，好ましくは炭素数１〜４のアルキル基が例示される。
【００１５】
フルオロアルキル基としては、前記アルキル基の１〜（２×フルオロアルキル基の炭素数＋１）個の水素原子がフッ素原子で置換された炭素数１〜６，好ましくは炭素数１〜４のフルオロアルキル基が挙げられる。
【００１６】
アルコキシアルキル基（アルコキシ基で置換されたアルキル基）としては、２−メトキシエチル、２−エトキシエチル、２−プロポキシエチル、２−ブトキシエチル、３−メトキシプロピル、４−メトキシブチル、３−エトキシプロピル、４−エトキシブチル、などの炭素数１〜６，好ましくは炭素数１〜４のアルコキシ基で置換された炭素数１〜６，好ましくは炭素数１〜４のアルキル基（アルコキシアルキル基の炭素数は２〜１２，好ましくは３〜８）が挙げられる。
【００１７】
アルコキシ基で置換されたフルオロアルキル基としては、水素原子を１以上有する前記フルオロアルキル基の１つの水素原子がアルコキシ基（Ｏ−（前記アルキル基））で置換されたフルオロアルキル基が挙げられる。
【００１８】
式（ＩＩ）において、Ｒ３はＨまたはＦを表し、Ｒ４はフッ素原子またはアルコキシ基で置換されてもよいアルキル基を表す。Ｘ１、Ｘ２、Ｘ３およびＸ４は、水素又はフッ素を示す。ただし、Ｘ１、Ｘ２、Ｘ３およびＸ４が全て水素になることはない。換言すれば、Ｘ１、Ｘ２、Ｘ３およびＸ４の１〜４個がフッ素原子を示し、３〜０個が水素原子を示す。ｎは１、２、３または４、好ましくは１，２または３，より好ましくは１または２を示す。アルコキシ基で置換されたアルキル基は、前記に例示された通りである。
【００１９】
式（ＩＩＩ）中、Ｒ５はＨまたはＦを表し、Ｒ６はＨまたはＣＦ３を表す。Ｘ１、Ｘ２、Ｘ３、Ｘ４及びｎは前記に同じ。Ｘ５、Ｘ６、Ｘ７およびＸ８は、水素又はフッ素を示す。ただし、Ｘ５、Ｘ６、Ｘ７およびＸ８が全て水素になることはない。換言すれば、Ｘ５、Ｘ６、Ｘ７およびＸ８の１〜４個がフッ素原子を示し、３〜０個が水素原子を示す。
【００２０】
Ｒ１およびＲ２で示される好ましい基は、たとえばフルオロメチル、ジフルオロエチル、テトラフルオロエチル、パーフルオロエチル、ペンタフルオロプロピル、Ｈ（ＣＦ２）２−、Ｈ（ＣＦ２）４−、Ｈ（ＣＦ２）６−、ＣＦ３ＣＦＨＣＦ２−、ＣＨ３ＯＣＨ２ＣＨ２−、ＣＨ３ＣＨ２ＯＣＨ２ＣＨ２−である。
【００２１】
より具体的には、以下の電極表面被膜形成剤が挙げられる。
【００２２】
【化１】
2004055320.tif 000002
【００２３】
本発明の含フッ素電極被膜形成剤は公知の化合物であり、例えばＷＯ９４／１７０２３号に記載の方法に従い製造される。
【００２４】
本発明の化合物として、ＣＦ３ＣＦ２ＣＨ２ＯＣＦ２ＣＦＨＣＦ３、ＨＣＦ２ＣＦ２ＣＨ２ＯＣＦ２ＣＦ２Ｈ、ＨＣＦ２ＣＦ２ＣＨ２ＯＣＦ２ＣＦＨＣＦ３、Ｈ（ＣＦ２ＣＦ２）３ＣＨ２ＯＣＦ２ＣＦ２Ｈ、（ＣＦ３）２ＣＨＣＦ２ＯＣＨ３、Ｈ（ＣＦ２ＣＦ２）２ＣＨ２ＯＣＨ２ＣＨ２ＯＣＨ３、および比較例としてメチルジフルオロアセテート、ジメチルジフルオロマロネートの発熱温度や発熱量をパーキンエルマー社の示差走査カロリーメーター（ＤＳＣ７）を用いて測定した。結果を図１〜８に示した。
【００２５】
図１〜８は本発明の化合物または比較例の化合物と１Ｍ　ＬｉＰＦ６／ＥＣ＋ＤＭＣ＝１：１（ｖｏｌ％）電解液を体積比１：１とし、リチウム金属１．３　ｍｇと混合し、ＤＳＣ測定したものである。これより、比較例であるジメチルジフルオロマロネートは２１３℃付近で大きな発熱が見られるが、本発明の化合物はそれを上回り、たとえばＣＦ３ＣＦ２ＣＨ２ＯＣＦ２ＣＦＨＣＦ３では約２４０℃となり、熱安定性の向上が見られる。これらの結果は、本発明における該化合物がリチウムイオン電池の熱安定性を一層向上させることを示している。
【００２６】
本発明で用いる含フッ素化合物が特に優れた特性を有する理由については明確ではないが、以下のように考えられる。
【００２７】
Ｊ．　Ｐｏｗｅｒ　Ｓｏｕｒｃｅｓ　１０２　（２００１）　２８８でジフルオロ酢酸メチル／ＬｉＰＦ６を用いたリチウム金属との熱安定性を報告しているが、その中で、リチウム金属表面に形成されるＳｏｌｉｄ　Ｅｌｅｃｔｒｏｌｙｔｅ　Ｉｎｔｅｒｆａｃｅ（ＳＥＩ）はジフルオロ酢酸リチウムまたはリチウムフロリドである可能性が述べられている。しかしながら、前述したようにそれらＳＥＩは誘電率の高い有機溶媒系の非水電解液の共存下で剥がれ落ちる問題があり、それはジフルオロ酢酸リチウムによるものと考えられる。本発明の含フッ素化合物を電極表面被膜形成剤として用いた場合、実施例１と比較例２の比較から一層熱安定性が向上していることよりリチウム金属表面に、より良質な保護膜が形成されているものと考えられる。リチウム金属表面に形成される保護膜は本化合物が何らかの形でリチウム金属表面と結合したものであるか、または強い電子求引力を持ったフッ素原子によって還元されやすくなっており、そのリチウム金属表面に形成される保護膜はリチウムフロリドと予想され、非常に強固な保護膜を形成するものと考えられる。負極としてリチウムインターカレート化合物、すなわち炭素材料あるいは種々の金属酸化物を用いた場合にも、急速充電あるいは過放電により、金属リチウムが析出する場合があるので、本発明における該化合物は熱安定性、安全性を高める上で有効である。
【００２８】
また、ジフルオロ酢酸メチルで形成されるＳＥＩは同時にメタンガスが発生する可能性も述べられており、電池内部の圧力が上昇による破裂等の事故につながる危険性がある。本発明の含フッ素化合物を用いた電極表面被膜形成剤では構造上そのようなガスが発生することはないため、安全性も向上すると考えられる。
【００２９】
本発明の電極表面被膜形成剤に用いられる含フッ素エーテル化合物は、単独で用いても良いが、通常用いられている有機溶媒系電解液に対して通常０．１〜８０重量％程度、好ましくは１〜５０重量％程度、より好ましくは５〜３０重量％程度含まれる。
【００３０】
本発明において、含フッ素エーテル化合物とともに非水電解液二次電池の電解液として用いられる有機溶媒系電解液としては、プロピレンカーボネート、エチレンカーボネート、ブチレンカーボネート等の環状カーボネート、ジエチルカーボネート、ジメチルカーボネート、メチルエチルカーボネート等の鎖状カーボネート等も用いることができる。さらには、γ−ブチロラクトン、テトラヒドロフラン、ジメトキシエタン、ジエトキシエタン、ジメチルスルホキシド、アセトニトリル、スルホラン等も用いることができるがこれらに限定されるわけではない。これらは単独で本発明の含フッ素エーテル化合物と混合して用いても良いし、２種類以上の有機溶媒系電解液を用いてもよい。
【００３１】
これら本発明の含フッ素エーテル化合物を少なくとも１種含む有機溶媒系電解液は下記リチウム塩を溶解した電池の電極表面被膜形成剤として用いてもよいし、特に負極表面被膜形成剤として電池製造前の段階で、あるいは電池を製造する過程で、負極を処理することに用いても良い。負極の処理方法としては、本発明の含フッ素エーテル化合物を少なくとも１種含む有機溶媒に負極を浸す方法、あるいは、霧状にして噴霧する方法、ハケなどで負極表面に塗る方法などが例示される。
【００３２】
リチウムイオン（一次または二次）電池に用いる場合の好ましい電解液は、本発明の含フッ素エーテル化合物と有機溶媒を含む上記非水溶媒と、その溶媒に溶解するリチウム塩から構成される。
【００３３】
リチウム塩としては、ＬｉＰＦ６，　ＬｉＰＦ４（ＣＦ３）２，　ＬｉＰＦ４（Ｃ２Ｆ５）２，　ＬｉＰＦ４（Ｃ３Ｆ７）２，　ＬｉＡｓＦ６，　ＬｉＢＦ４，　ＬｉＣｌＯ４，　ＬｉＣＦ３ＳＯ３，　ＬｉＣ４Ｆ９ＳＯ３，　ＬｉＮ（ＣＦ３ＳＯ２）２，　ＬＩＮ（Ｃ２Ｆ５ＳＯ２）２，　ＬｉＮ（Ｃ４Ｆ９ＳＯ２）２，　ＬｉＮ（ＣＦ３ＳＯ２）（Ｃ４Ｆ９ＳＯ２），　ＬｉＣ（ＣＦ３ＳＯ２）３，　ＬｉＢ（ＯＣＯＣＦ３）４等を用いることができる。
【００３４】
上記電解液は、リチウムイオン伝導性を有する非水溶液状電解質として、およびこれをポリマーマトリックスで固定したゲル電解質として用いることができる。
【００３５】
本発明のリチウムイオン電池は、上記電解液を用いることを特徴としており、その他の条件、例えばリチウムイオン電池の形状や構成要素は特に限定されず、公知の技術を用いることができる。
【００３６】
例えば電池の形状としては、円筒型、角型、コイン型、フィルム状等を挙げることができる。
【００３７】
負極材料としては、リチウム金属およびその合金、リチウムをドープ・脱ドープできる炭素材料や高分子材料、金属酸化物などが挙げられる。
【００３８】
正極材料としては、ＬｉＣｏＯ２，　ＬｉＮｉＯ２，　ＬｉＭｎ２Ｏ４，　ＬｉＭｎＯ２などのリチウムと遷移金属の複合酸化物や、高分子材料などが挙げられる。
【００３９】
セパレーターとしては、ポリエチレンやポリプロピレン等の高分子材料の多孔膜や、本発明の電解液を吸蔵して固定化する高分子材料（いわゆるゲル電解質）として用いることができる。
【００４０】
集電体の材料としては、銅、アルミ、ステンレススチール、チタン、ニッケル、タングステン鋼、炭素材料などが用いられ、その形状は箔、網、不織布、パンチドメタルなどが挙げられる。
【００４１】
【実施例】
以下、本発明を実施例および比較例を用いてより詳細に説明するが、本発明はこれら実施例に限定されない。
【００４２】
実施例１〜６
ＤＳＣ測定はパーキンエルマー製のＤＳＣ７を用いた。また、測定用の試料は、チタン製耐圧密閉容器に１Ｍ　ＬｉＰＦ６／ＥＣ＋ＤＭＣ＝１：１（ｖｏｌ％）電解液５　μｌ、表１に示す本発明化合物５　μｌをリチウム金属１．３　ｍｇと混合し調整した。昇温速度は５℃／ｍｉｎで行い、発熱反応ピーク温度を測定した。種々の含フッ素エーテル化合物を用いて測定した結果を図１〜６に示す。
【００４３】
比較例１〜２
実施例１〜６の本発明化合物のかわりに表１に示すメチルジフルオロアセテートまたはジメチルジフルオロマロネートを用いて同様に測定した。結果を図７〜８に示す。
【００４４】
【表１】
2004055320.tif 000003
【００４５】
【発明の効果】
本発明によれば、電池の熱安定性を向上させ得る電極表面被膜形成剤および電池製造方法が提供できる。これにより、急速充電時にも安全性が向上し、さらに負極にリチウム金属を用いる安全な電池を提供することが可能になる。
【図面の簡単な説明】
【図１】実施例１：本発明の化合物であるＣＦ３ＣＦ２ＣＨ２ＯＣＦ２ＣＦＨＣＦ３の発熱温度、発熱量の測定結果を示す。
【図２】実施例２：本発明の化合物であるＨＣＦ２ＣＦ２ＣＨ２ＯＣＦ２ＣＦ２Ｈの発熱温度、発熱量の測定結果を示す。
【図３】実施例３：本発明の化合物であるのＨＣＦ２ＣＦ２ＣＨ２ＯＣＦ２ＣＦＨＣＦ３発熱温度、発熱量の測定結果を示す。
【図４】実施例４：本発明の化合物であるＨ（ＣＦ２ＣＦ２）３ＣＨ２ＯＣＦ２ＣＦ２Ｈの発熱温度、発熱量の測定結果を示す。
【図５】実施例５：本発明の化合物である（ＣＦ３）２ＣＨＣＦ２ＯＣＨ３の発熱温度、発熱量の測定結果を示す。
【図６】実施例６：本発明の化合物であるＨ（ＣＦ２ＣＦ２）２ＣＨ２ＯＣＨ２ＣＨ２ＯＣＨ３の発熱温度、発熱量の測定結果を示す。
【図７】比較例１：本発明の化合物との比較例であるメチルジフルオロアセテートの発熱温度、発熱量の測定結果を示す。
【図８】比較例２：本発明の化合物との比較例であるジメチルジフルオロマロネートの発熱温度、発熱量の測定結果を示す。
【図１】
2004055320.tif 000004
【図２】
2004055320.tif 000005
【図３】
2004055320.tif 000006
【図４】
2004055320.tif 000007
【図５】
2004055320.tif 000008
【図６】
2004055320.tif 000009
【図７】
2004055320.tif 000010
【図８】
2004055320.tif 000011